(57)【特許請求の範囲】
【請求項１】
訪問者をカメラ（１２）で撮像するカメラ付玄関子機（１）、前記カメラ付玄関子機に接続され前記カメラで撮像した画像を録画装置（３８）で録画するカメラ録画機能、録画された画像をモニタ（４１）で再生する再生機能を有するモニタ付親機（２）で構成され、
前記モニタ付親機は、無線通信機能を構成するＰＨＳ網（４）とインターネット（８）若しくは有線通信機能を構成するＡＤＳＬ網（６）と前記インターネットを使用してサーバ（９）に接続可能であり、かつセンサカメラ（１７）に接続可能であり、
前記モニタ付親機は、当該モニタ付親機の転送設定ボタン（２９）の操作を検出し、前記センサカメラにより撮影された画像を前記ＰＨＳ網と前記インターネット若しくは前記ＡＤＳＬ網と前記インターネットを使用して前記サーバにアップロードするとともに、前記センサカメラにより撮影された旨の情報を前記ＰＨＳ網と前記インターネット若しくは前記ＡＤＳＬ網と前記インターネットを使用し、前記サーバを介してＥ−ｍａｉｌでブラウジング機能やメール機能等を持つ携帯端末（１０）に通知するＣＰＵ（２８）を備え、
前記携帯端末は、前記センサカメラにより撮影された旨の情報をＥ−ｍａｉｌで受信して、前記サーバにアップロードされた録画画像を、前記インターネットを介して参照することを特徴とするテレビドアホンシステム。
【請求項２】
訪問者をカメラ（１２）で撮像するカメラ付玄関子機（１）、前記カメラ付玄関子機に接続され前記カメラで撮像した画像を録画装置（３８）で録画するカメラ録画機能、録画された画像をモニタ（４１）で再生する再生機能を有するモニタ付親機（２）で構成され、
前記モニタ付親機は、無線通信機能を構成するＰＨＳ網（４）とインターネット（８）若しくは有線通信機能を構成するＡＤＳＬ網（６）と前記インターネットを使用してサーバ（９）に接続可能であり、かつ前記サーバの情報を書き換えるブラウジング機能やメール機能等を持つ携帯端末（１０）が前記インターネットを介して接続可能であり、
前記モニタ付親機は、当該モニタ付親機の転送設定ボタン（２９）の操作を検出し、前記モニタ付親機で録画した画像を前記ＰＨＳ網と前記インターネット若しくは前記ＡＤＳＬ網と前記インターネットを使用して前記サーバにアップロードするＣＰＵ（２８）を備え、
前記モニタ付親機のＣＰＵは、前記サーバからの前記無線通信機能若しくは前記有線通信機能による前記モニタ付親機への着信を検出して前記携帯端末から何らかの要求があったことを認知して前記サーバにその内容を問い合わせた結果、前記モニタ付親機のその時点での設定情報の通知要求があったことを認知するとき、前記ＰＨＳ網と前記インターネット若しくは前記ＡＤＳＬ網と前記インターネットを使用して前記サーバに必要な情報をアップロードして前記サーバの情報を書き換えるものであることを特徴とするテレビドアホンシステム。
【請求項３】
前記モニタ付親機は、前記サーバにアップロードされた録画画像を前記携帯端末から参照する際に、前記携帯端末からアクセスするコンテンツのパスワードを、前記ＰＨＳ網と前記インターネット若しくは前記ＡＤＳＬ網と前記インターネットを使用して変更するものであることを特徴とする請求項１又は請求項２記載のテレビドアホンシステム。
【請求項４】
前記携帯端末は、前記サーバにアップロードされた録画画像を参照する際に、前記携帯端末からアクセスするコンテンツのパスワードを、前記携帯端末用の無線通信を使用して変更するものであることを特徴とする請求項１乃至請求項３の何れか１項記載のテレビドアホンシステム。
【請求項５】
前記モニタ付親機は、前記ＰＨＳ網と前記インターネット若しくは前記ＡＤＳＬ網と前記インターネットを使用して前記サーバにアクセスし必要な情報をダウンロードすることで、前記モニタ付親機内のソフトウェアのバージョンアップを行うものであることを特徴とする請求項１乃至請求項４の何れか１項記載のテレビドアホンシステム。
【請求項６】
前記モニタ付親機は、留守中の来客による子機からの呼び出しを、前記ＰＨＳ網と前記インターネット若しくは前記ＡＤＳＬ網と前記インターネットを使用して前記モニタ付親機の設定ボタン（３９）で設定された電話番号に転送し、リアルタイムな通話を行うものであることを特徴とする請求項１乃至請求項５の何れか１項記載のテレビドアホンシステム。
【請求項７】
前記モニタ付親機は、留守中の来客による子機からの呼び出しを、前記ＰＨＳ網と前記インターネット若しくは前記ＡＤＳＬ網と前記インターネットを使用して前記携帯端末から前記サーバを経て前記モニタ付親機に設定された電話番号に転送し、リアルタイムな通話を行うものであることを特徴とする請求項１乃至請求項６の何れか１項記載のテレビドアホンシステム。
【発明の詳細な説明】
【０００１】
【発明の属する技術分野】
本発明は、テレビドアホンシステムに係り、特に、モニタ付親機で転送設定をすることにより留守中における訪問者の録画画像をサーバにアップロードさせて、外出先からブラウジング機能やメール機能等を持つ携帯端末を使用してサーバにアップロードされた録画画像を参照できるようにし、而も、モニタ付親機の設定情報等をブラウジング機能やメール機能等を持つ携帯端末から設定、変更可能にするテレビドアホンシステムに関する。
【０００２】
【従来の技術】
従来から留守中における訪問者を録画し、帰宅時にモニタで録画画像を表示できるテレビドアホンシステムとして、特開２００１−９４９７７号公報開示の「テレビドアホン装置」が提案されている。
【０００３】
このテレビドアホン装置は、戸外に設置される玄関子機と、室内に設置される親機と、玄関子機および親機に接続される録画ユニットとから構成され、玄関子機で呼出ボタンが操作されたときカメラからの玄関の映像を録画ユニットの外出ボタンの操作により録画ユニットの不揮発性メモリに録画し、録画ユニットの再生ボタンの操作により録画ユニットに録画されていた玄関の映像を親機のモニタで再生することができる。
【０００４】
【発明が解決しようとする課題】
しかしながら、このような特開２００１−９４９７７号公報開示の「テレビドアホン装置」では、留守中に訪問してきた訪問者を帰宅時にしか知ることができず、また、留守中に訪問してきた訪問者に対してリアルタイムに対応する手段が存在しなかった。
【０００５】
本発明は、このような従来の難点を解決するためになされたもので、ネットワーク上にサーバを設置し、モニタ付親機にこのサーバとの通信機能を持たせることで、留守中における訪問者の録画画像を、サーバを介して外出先から携帯端末で参照でき、また、留守中における訪問者からの玄関子機呼出に外出先から携帯端末で対応でき、さらに、外出先からモニタ付親機の設定を変更することができるテレビドアホンシステムを提供することを目的とする。
【０００６】
【課題を解決するための手段】
上記目的を達成する本発明のテレビドアホンシステムは、訪問者をカメラで撮像するカメラ付玄関子機、カメラ付玄関子機に接続されカメラで撮像した画像を録画装置で録画するカメラ録画機能、録画された画像をモニタで再生する再生機能を有するモニタ付親機で構成され、モニタ付親機は、無線通信機能を構成するＰＨＳ網とインターネット若しくは有線通信機能を構成するＡＤＳＬ網とインターネットを使用してサーバに接続可能であり、かつセンサカメラに接続可能であり、モニタ付親機は、当該モニタ付親機の転送設定ボタンの操作を検出し、センサカメラにより撮影された画像をＰＨＳ網とインターネット若しくはＡＤＳＬ網とインターネットを使用してサーバにアップロードするとともに、センサカメラにより撮影された旨の情報をＰＨＳ網とインターネット若しくはＡＤＳＬ網とインターネットを使用し、サーバを介してＥ−ｍａｉｌでブラウジング機能やメール機能等を持つ携帯端末に通知するＣＰＵを備え、携帯端末は、センサカメラにより撮影された旨の情報をＥ−ｍａｉｌで受信して、サーバにアップロードされた録画画像を、インターネットを介して参照するものである。
【０００７】
このようなテレビドアホンシステムによれば、モニタ付親機の転送設定ボタンを操作した後に、予め所定位置に設置されているセンサカメラの検知範囲に人等が入ると、当該センサカメラが撮像を開始してモニタ付親機に出力し、モニタ付親機のＣＰＵがこのセンサカメラで撮像した録画画像を、無線通信機能を構成するＰＨＳ網とインターネット、若しくは有線通信機能を構成するＡＤＳＬ網とインターネットを使用してサーバにアップロードすることができるばかりでなく、サーバにアップロードされた録画画像がセンサカメラにより撮影された画像である旨を携帯端末にＥ−ｍａｉｌで通知することができる。これにより、留守中に異常が発生したことを外出先から携帯端末で対応できる。また、サーバにアップロードされた録画画像がセンサカメラにより撮影された画像である旨の情報を確認する端末と、サーバにアップロードされたセンサカメラが撮影した画像を参照する端末とが、ブラウジング機能やメール機能等を持つ携帯端末で同一であり、単一の端末である携帯端末の使用のみで利便性が高められる。
【０００８】
また、上記目的を達成する本発明のテレビドアホンシステムは、訪問者をカメラで撮像するカメラ付玄関子機、カメラ付玄関子機に接続されカメラで撮像した画像を録画装置で録画するカメラ録画機能、録画された画像をモニタで再生する再生機能を有するモニタ付親機で構成され、モニタ付親機は、無線通信機能を構成するＰＨＳ網とインターネット若しくは有線通信機能を構成するＡＤＳＬ網とインターネットを使用してサーバに接続可能であり、かつサーバの情報を書き換えるブラウジング機能やメール機能等を持つ携帯端末がインターネットを介して接続可能であり、モニタ付親機は、当該モニタ付親機の転送設定ボタンの操作を検出し、モニタ付親機で録画した画像をＰＨＳ網とインターネット若しくはＡＤＳＬ網とインターネットを使用してサーバにアップロードするＣＰＵを備え、モニタ付親機のＣＰＵは、サーバからの無線通信機能若しくは有線通信機能によるモニタ付親機への着信を検出して携帯端末から何らかの要求があったことを認知してサーバにその内容を問い合わせた結果、モニタ付親機のその時点での設定情報の通知要求があったことを認知するとき、ＰＨＳ網とインターネット若しくはＡＤＳＬ網とインターネットを使用してサーバに必要な情報をアップロードしてサーバの情報を書き換えるものである。
【０００９】
このようなテレビドアホンシステムによれば、無線通信機能を構成するＰＨＳ網とインターネット若しくは有線通信機能を構成するＡＤＳＬ網とインターネットを使用してサーバに接続可能な携帯端末からモニタ付親機のその時点での設定情報の通知要求を行うと、サーバに必要な情報をアップロードしてサーバの情報を書き換えることができるので、携帯端末からの設定情報の通知要求により、サーバにアップロードされずにモニタ付親機の録画装置に蓄積されたままの録画画像をサーバにアップロードできるようになる。
【００１０】
また、上記目的を達成する本発明のテレビドアホンシステムにおいて、モニタ付親機は、サーバにアップロードされた録画画像を携帯端末から参照する際に、携帯端末からアクセスするコンテンツのパスワードを、ＰＨＳ網とインターネット若しくはＡＤＳＬ網とインターネットを使用して変更するものである。さらに、携帯端末は、サーバにアップロードされた録画画像を参照する際に、携帯端末からアクセスするコンテンツのパスワードを、携帯端末用の無線通信を使用して変更するものである。これにより、外出先から携帯端末を使用して、サーバへの不正侵入に対するセキュリティを高めることができる。
【００１１】
また、上記目的を達成する本発明のテレビドアホンシステムにおいて、モニタ付親機は、ＰＨＳ網とインターネット若しくはＡＤＳＬ網とインターネットを使用してサーバにアクセスし必要な情報をダウンロードすることで、モニタ付親機内のソフトウェアのバージョンアップを行うものである。これにより、モニタ付親機の利用者に対して早急かつ確実に最新のソフトウェアを提供することができる。
【００１２】
また、上記目的を達成する本発明のテレビドアホンシステムにおいて、モニタ付親機は、留守中の来客による子機からの呼び出しを、ＰＨＳ網とインターネット若しくはＡＤＳＬ網とインターネットを使用してモニタ付親機の設定ボタンで設定された電話番号に転送し、リアルタイムな通話を行うものである。これにより、留守中における訪問者からの玄関子機呼出に外出先から携帯端末で対応できるようになる。
【００１３】
また、上記目的を達成する本発明のテレビドアホンシステムにおいて、モニタ付親機は、留守中の来客による子機からの呼び出しを、ＰＨＳ網と前記インターネット若しくはＡＤＳＬ網と前記インターネットを使用して携帯端末からサーバを経てモニタ付親機に設定された電話番号に転送し、リアルタイムな通話を行うものである。これにより、留守中における訪問者からの玄関子機呼出に外出先から携帯端末で対応できるようになる。
【００１４】
【発明の実態の形態】
以下、本発明のテレビドアホンシステムにおける好ましい実施の形態例について、図面を参照して詳述する。
【００１５】
本発明のテレビドアホンシステムは図１および図２に示すように、玄関などの戸外に設置され訪問者をカメラ１２で撮像するカメラ付玄関子機１と、カメラ付玄関子機１に接続されると共に室内に設置されカメラ付玄関子機１のカメラ１２で撮像した画像を録画装置３８で録画するカメラ録画機能、および録画された画像をモニタ４１で再生する再生機能を有するモニタ付親機２と、モニタ付親機２にインターネット８を介して接続されモニタ付親機２の録画装置３８で録画した画像がアップロードされるサーバ９とから構成されている。また、モニタ付親機２には、例えばカメラ付玄関子機１の近傍に設置されるセンサカメラ１７が接続されている。このようなモニタ付親機２は、親機用無線通信機能と親機用有線通信機能とを持ち、無線通信となる例えばＰＨＳ（personal handyphone system）網４およびインターネット８、若しくは有線通信となる例えばＡＤＳＬ（asymmetric digital subscriber line）網６およびインターネット８を使用してサーバ９に接続可能にするために、ＰＨＳ網４に接続するためのＰＨＳカード３を脱着可能に装着するカードスロット３５と、ＡＤＳＬ網６に接続するための接続端子３６とを備えている。なお、ＰＨＳ網４はＰＨＳ用インターネットサービス・プロバイダ５を介してインターネット８に接続され、ＡＤＳＬ網６はＡＤＳＬ用インターネットサービス・プロバイダ７を介してインターネット８に接続されている。
【００１６】
カメラ付玄関子機１は図２に示すように、来客をモニタ付親機２に知らせる呼出ボタン１５と、玄関周りを撮影するカメラ１２と、モニタ付親機２と通話を行うためのスピーカ１３およびマイク１４と、呼び出しボタン１５、スピーカ１３およびマイク１４が並列に接続されると共にカメラ１２が変調回路１６を介して接続されモニタ付親機２と信号の送受を行う子機インタフェース１１とを備えている。
【００１７】
モニタ付親機２は図２に示すように、カメラ付玄関子機１の呼び出しボタン１５による玄関呼出を検出する呼出検出回路２３と、センサカメラ１７が検知駆動したことを検出するセンサ検出回路２２と、カメラ付玄関子機１のスピーカ１３およびマイク１４と通話を行うためのスピーカ２６およびマイク２７と、カメラ付玄関子機１の変調回路１６で変調されたカメラ１２による画像の画像信号を復調する復調回路２４と、復調回路２４で復調された画像信号を映像として表示するモニタ４１と、これら構成要素を制御するＣＰＵ２５と、カメラ付玄関子機１と信号の送受を行うために当該カメラ付玄関子機１の子機インタフェース１１に接続される親機インタフェース２１とがアナログ基板に実装され構成されている。なお、親機インタフェース２１には、センサ検出回路２２および呼出検出回路２３が接続され、さらに、復調回路２４を介してモニタ４１が接続されている。センサ検出回路２２および呼出検出回路２３はそれぞれＣＰＵ２５に接続され、このＣＰＵ２５にはスピーカ２６およびマイク２７が接続され、さらに復調回路２４および親機インタフェース２１が接続されている。
【００１８】
このようなアナログ基板には、カメラ付玄関子機１のカメラ１２で撮像した画像の画像信号をシリアル伝送できるように録画装置３８がシリアルで接続されている。この録画装置３８は、例えば、カメラ付玄関子機１のカメラ１２から伝送される画像信号をキャプチャし圧縮を行うＪＰＥＧ（joint photographic coding experts group）変換器３２と、キャプチャしたデータ等を展開するためのメモリであるＳＤＲＡＭ（synchronous dynamic random access memory）３１と、録画した画像等を記録するＦＲＯＭ（flash ROM）３３と、アプリケーションやカーネル等を展開するためのＳＤＲＡＭ３４と、サーバ９との通信に必要な情報等を記録するＥＥＰＲＯＭ（electronic erasable and programmable read only memory）３０と、転送設定ボタン２９、設定ボタン３９および再生ボタン、録画ボタン等の各種ボタン群３７と、これら構成要素を制御するＣＰＵ２８と共に、カードスロット３５および接続端子３６がデジタル基板に実装され構成されている。なお、ＣＰＵ２８には、ＪＰＥＧ変換器３２、ＦＲＯＭ３３、ＳＤＲＡＭ３４、カードスロット３５および接続端子３６がデータバス接続され、また、転送設定ボタン２９、設定ボタン３９およびボタン群３７がそれぞれ接続され、さらに、ＪＰＥＧ変換器３２にはＳＤＲＡＭ３１が接続されている。
【００１９】
このようなモニタ付親機２が有する録画装置３８のＣＰＵ２８は、モニタ付親機２の録画装置３８で録画した画像を録画装置３８の転送設定ボタン２９を操作することにより、ＰＨＳ網４とインターネット８若しくはＡＤＳＬ網６とインターネット８を使用してサーバ９にアップロードする機能を有している。これにより、外出先からインターネット８に接続可能な通信機器で、サーバ９にアップロードされた訪問者の録画画像を参照することが可能になる。また、ＣＰＵ２８は、センサカメラ１７により撮影された画像を録画装置３８の転送設定ボタン２９の操作により、ＰＨＳ網４とインターネット８若しくはＡＤＳＬ網６とインターネット８を使用してサーバ９にアップロードする機能を有している。これにより、録画装置３８の転送設定ボタン２９を操作した後に、カメラ付玄関子機１の近傍に設置されているセンサカメラ１７の検知範囲に人等が入ると、当該センサカメラ１７が撮像を開始してモニタ付親機２に出力し、ＣＰＵ２８がこのセンサカメラ１７で撮像した録画画像を、ＰＨＳ網４とインターネット８若しくはＡＤＳＬ網６とインターネット８を使用してサーバ９にアップロードすることができるので、外出先からインターネット８に接続可能な通信機器でサーバ９にアップロードされたセンサカメラ１７で撮像した録画画像を参照することが可能になる。
【００２０】
また、テレビドアホンシステムは、上述のようにしてサーバ９にアップロードされたモニタ付親機２の録画装置３８で録画した画像やセンサカメラ１７により撮影された画像を参照できるブラウジング機能やメール機能等を持つ携帯端末１０（図１）を備えている。この携帯端末１０は、無線基地局５０を介してインターネット８に接続することができる。
【００２１】
この携帯端末１０に対して、モニタ付親機２が有する録画装置３８のＣＰＵ２８は、モニタ付親機２の設定ボタン３９の操作により録画装置３８で録画された旨の情報および／またはセンサカメラ１７により撮影された旨の情報を、ＰＨＳ網４とインターネット８若しくはＡＤＳＬ網６とインターネット８を使用し、サーバ９を介して携帯端末１０にＥ−ｍａｉｌで通知する機能を有している。これにより、留守中における訪問者からの玄関子機呼出に外出先から携帯端末１０で対応でき、また、留守中に住宅内で異常が発生したことを外出先から携帯端末１０で確認できるようになる。
【００２２】
また、モニタ付親機２が有する録画装置３８のＣＰＵ２８は、サーバ９からのＰＨＳ網４の無線通信若しくはＡＤＳＬ網６の有線通信によるモニタ付親機２への着信を検出して携帯端末１０から何らかの要求があったことを認知してサーバ９にその内容を問い合わせた結果、携帯端末１０からモニタ付親機２の設定情報の変更要求があったことを認知するときＰＨＳ網４とインターネット８若しくはＡＤＳＬ網６とインターネット８を使用して、サーバ９より必要な情報をダウンロードしてモニタ付親機２の情報を書き換える機能を有している。これにより、外出時に設定したモニタ付親機２の設定内容を外出先から変更することが可能になる。また、ＣＰＵ２８は、問い合わせた結果、モニタ付親機２のその時点での設定情報の通知要求があったことを認知するときＰＨＳ網４とインターネット８若しくはＡＤＳＬ網６とインターネット８を使用して、サーバ９に必要な情報をアップロードしてサーバ９の情報を書き換える機能を有している。これにより、サーバ９にアップロードされずにモニタ付親機２の録画装置３８に蓄積されたままの録画画像をサーバ９にアップロードできるようになる。
【００２３】
また、モニタ付親機２のＣＰＵ２８は、モニタ付親機２の設定ボタン３９を操作することにより、サーバ９にアップロードされた録画画像を携帯端末１０から参照する際に、携帯端末１０からアクセスするコンテンツのパスワードを、ＰＨＳ網４とインターネット８若しくはＡＤＳＬ網６とインターネット８を使用して変更する機能を有している。これにより、サーバ９への不正侵入に対するセキュリティを高めることができる。なお、携帯端末１０からサーバ９にアクセスするコンテンツのパスワードを変更する機能を携帯端末１０に具備させれば、携帯端末用無線通信を使用してパスワードを変更することができる。
【００２４】
また、モニタ付親機２のＣＰＵ２８は、モニタ付親機２の設定ボタン３９を操作することにより、ＰＨＳ網４とインターネット８若しくはＡＤＳＬ網６とインターネット８を使用してサーバ９にアクセスし必要な情報をダウンロードすることで、モニタ付親機２内のソフトウェアのバージョンアップを行うことができる機能を有している。これにより、モニタ付親機２の利用者に対して早急かつ確実に最新のソフトウェアを提供することができる。
【００２５】
また、モニタ付親機２のＣＰＵ２８は、録画装置３８の転送設定ボタン２９を操作することにより留守中の来客によるカメラ付玄関子機１からの呼び出しをＰＨＳ網４による無線通信でモニタ付親機２の設定ボタン３９で設定された電話番号に転送し、リアルタイムな通話を行うための機能を有している。これにより、留守中における訪問者からの玄関子機呼出に外出先から携帯端末１０で対応できるようになる。なお、この転送のための電話番号を携帯端末１０からサーバ９を経てモニタ付親機２に設定してもよい。
【００２６】
このように構成されたテレビドアホンシステムにおいて、転送設定ボタン２９が操作されていない場合に訪問者がカメラ付玄関子機１の呼出ボタン１５を押下すると、モニタ付親機２の呼出検出回路２３がこの子機呼出を検出しＣＰＵ２５に呼出信号を出力する。この呼出信号に基づきＣＰＵ２５はスピーカ２６から呼出音が放音される。居住者がこの呼出音により来客があったことを認識して応答操作すると、モニタ付親機２とカメラ付玄関子機１との間の通話路が形成される。また、カメラ付玄関子機１のカメラ１２は訪問者の撮像を開始して、モニタ付親機２に画像を出力する。この画像信号は、モニタ付親機２の親機インタフェース２１、復調回路２４を介してモニタ４１に出力されるので、このモニタ４１に訪問者の画像を映し出すことができる。
【００２７】
次に、カメラ付玄関子機１のカメラ１２で撮像された訪問者の画像のサーバ９へのアップロードについて説明する。
【００２８】
予めモニタ付親機２が有する録画装置３８の転送設定ボタン２９を操作して画像転送モードをＯＮに設定する。この画像転送モード状態のときに、来客もしくはセンサカメラ１７が検知駆動してカメラ付玄関子機１のカメラ１２もしくはセンサカメラ１７が訪問者の撮像を開始すると、その画像がモニタ付親機２に出力され、シリアル伝送で録画装置３８に出力される。録画装置３８は、この画像を録画するために画像信号をＪＰＥＧ変換器３２でキャプチャして圧縮し、この圧縮された画像信号をＦＲＯＭ３３に記録する。圧縮された画像信号がＦＲＯＭ３３に記録されると、カードスロット３５に装着されたＰＨＳカード３によりサーバ９への通信路が形成される。通信路が形成されると、ＦＲＯＭ３３に予め保存されている通信プログラムにより画像アップロードのＦＴＰ（file transfer protocol）リクエストが作成され、サーバ９に画像のアップロードが行われる。
【００２９】
サーバ９にアップロードされた録画画像は、携帯端末１０で参照できるように加工されサーバ９内のデータベースに保存される。これにより、携帯端末１０から専用コンテンツにアクセスすることによって、モニタ付親機２で録画された画像を閲覧することができる。また、ＡＤＳＬ網６を介して画像のアップロードを行う場合は、ＰＨＳカード３による通信路の形成を省略して、作成したＦＴＰリクエストを接続端子３６を使用して送信する。なお、通信プログラムで作成するプロトコルを変更することで、画像のアップロードの他に、パスワード変更、Ｅ−ｍａｉｌ送信を行うことができる。ここで、パスワード変更とは、専用サーバ９との通信時や携帯端末１０から専用コンテンツを閲覧する際に必要となるパスワードを、モニタ付親機２の設定ボタン３９や携帯端末１０で変更することで、リクエストによりサーバ９のデータベースを更新することによって変更される。また、Ｅ−ｍａｉｌ送信は、来客もしくはセンサカメラ１７が検知駆動してカメラ付玄関子機１のカメラ１２が訪問者の撮像を開始すると、モニタ付親機２が有する記録装置３８のＦＲＯＭ３３に記録されている送信本文、件名等をＳＭＴＰ（simple mail transfer protocol）リクエストでサーバ９に送信し、このサーバ９が有するＳＭＴＰサーバを利用して予めサーバ９に携帯端末１０等から設定されているメールアドレスに対して送信するものである。
【００３０】
次に、携帯端末１０によるモニタ付親機２の設定情報変更について説明する。
【００３１】
携帯端末１０からサーバ９の専用コンテンツにアクセスし、ＧＵＩ（graphical user interface）によりモニタ付親機２の設定情報（または本システムの設定情報、例えば、転送モードのＯＮ／ＯＦＦ、Ｅ−ｍａｉｌ送信先、転送先電話番号など）を変更する。これにより、サーバ９にて変更内容や要求処理を記述したテキストファイルが生成され、モニタ付親機２のＰＨＳカード３に対してサーバ９から発呼、切断が行われる。モニタ付親機２では、ＰＨＳカード３に着信を受けると、ＰＨＳ網４若しくはＡＤＳＬ網６からＨＴＴＰまたはＦＴＰリクエストによってサーバ９で生成されたテキストファイルを取得する。モニタ付親機２は、テキストファイルを受け取るとその内容を解析して処理要求、変更内容を認知し、当該モニタ付親機２の設定を変更して、変更した旨をサーバ９に送信してサーバ９のデータベースを更新する。
【００３２】
なお、携帯端末１０からはモニタ付親機２や本システムの設定情報のほかに画像アップロード等の要求を行うことができる。これは、画像転送モードをＯＦＦに設定していた場合に、サーバ９にアップロードされずモニタ付親機２内に蓄積されたままの録画画像を、携帯端末１０からサーバ９にアップロードする処理で、携帯端末１０によるＧＵＩ操作によって要求する。携帯端末１０から要求が行われると、設定情報変更の場合と同様に、処理要求を記述したテキストファイルが生成されモニタ付親機２のＰＨＳカード３に発呼、切断が行われる。モニタ付親機２は、テキストファイルを解析して処理要求が画像アップロードであると認知すると、前述した録画画像のアップロード処理を行う。
【００３３】
最後に携帯端末１０への子機呼出の転送について説明する。
【００３４】
モニタ付親機２の転送設定ボタン２９を操作して、転送モードを音声転送にセットする。来客によってカメラ付玄関子機１の呼出ボタン１５が押下されると、予めモニタ付親機２や携帯端末１０から設定された転送先電話番号に対してＰＨＳカード３からダイアルされる。ダイアルされた携帯端末１０の所持者は携帯端末１０の通話ボタンを、モニタ付親機２からの音声ガイダンスに従って、例えば「＊＊」と操作することにより、モニタ付親機２のＦＲＯＭ３３内の通話路形成プログラムがＰＢ信号を検出して、携帯端末１０とカメラ付玄関子機１との通話路を形成する。
【００３５】
なお、このような通信を制御するソフトウェアを最新のソフトウエアにバージョンアップするには、モニタ付親機２の設定ボタン３９を操作して、サーバ９にアクセスし必要な情報をダウンロードすることにより行うことができる。
【００３６】
また、上述した本発明のテレビドアホンシステムにおいては、モニタ付親機２は親機用無線通信機能と親機用有線通信機能とを有していたが、これに限らず、この２つの機能のうち何れか１つの機能だけを有していても、モニタ付親機２およびサーバ９間の通信を行うことができる。
【００３７】
また、上述した本発明のテレビドアホンシステムにおいては、携帯端末１０で利用する無線基地局５０をインターネット８に接続していたが、これに限らず、この無線基地局５０を直接、サーバ９と信号送受可能に接続してもよい。
【００３８】
また、上述した本発明のテレビドアホンシステムにおいては、モニタ付親機２はハンズフリー通話に対応した構成のものであったが、これに限らず、マイク、レシーバを内蔵したハンドセットを備えたモニタ付親機でもよい。
【００３９】
また、本発明のテレビドアホンシステムで使用されるセンサカメラ１７は、カメラ付玄関子機１に内蔵してもよい。
【００４０】
また、本発明のテレビドアホンシステムで使用されるサーバは、専用サーバが好ましいが限定されず、録画画像等をアップロードやダウンロードすることができれば他の目的と兼用されたサーバでもよい。
【００４１】
【発明の効果】
以上の説明から明らかなように、本発明によるテレビドアホンシステムによれば、サーバを設置し、モニタ付親機に通信機能を持たせることで、留守中の訪問者からの玄関子機呼出に外出先から携帯端末を使用して対応できるばかりでなく、この訪問者の録画画像があることが通知された携帯端末を使用することにより、インターネットを介してサーバにアクセスして録画画像を参照できる。また、留守中に住戸内で異常が発生したことを外出先から携帯端末を使用して対応できるばかりでなく、異常を検知したセンサカメラにより画像が撮影されたことが通知された携帯端末を使用することにより、インターネットを介してサーバにアクセスして録画画像を参照できる。さらに、外出先から携帯端末を使用して、モニタ付親機の設定を変更できる。
【図面の簡単な説明】
【図１】  本発明のテレビドアホンシステムによる好ましい実施の形態例を示すシステム構成図。
【図２】  本発明によるテレビドアホンシステムのブロック図。
【符号の説明】
１……カメラ付玄関子機
２……モニタ付親機
９……サーバ
１０……携帯端末
１２……カメラ
１７……センサカメラ
２８……ＣＰＵ
２９……転送設定ボタン
３８……録画装置
３９……設定ボタン
４１……モニタ
【図１】
0004454907.tif 000002
【図２】
0004454907.tif 000003